(57)【要約】      （修正有）【課題】液状石鹸、入浴剤、もしくは芳香剤を混入する機構を具え、かつ該機構の構造が簡易で、十分な構造上の強度を具え、容易に製造できるシャワーヘッド装置を提供する。【解決手段】筒状を呈し、かつ内部空間が後蓋６に向かって内径の漸縮する、略テーパ状を形成し、底面にはシャワーヘッド本体１の軸方向の略中央の位置であって、かつ該シャワーヘッド本体の軸方向に直交する線に沿って一方の側に偏った位置に、水が進入する進入孔１２を形成したシャワーヘッド本体と、内部にシャワー水が通過する流路２１を形成してなり、かつ該シャワーヘッド本体の底面に設けるグリップ２と、該シャワーヘッド本体の前後端にそれぞれ設ける前蓋４及び後蓋６と、板体であって、側面が該シャワーヘッド本体の内壁の傾斜角度と同一の角度で傾斜し、該シャワーヘッド本体内に回動自在、かつ摺動自在に設ける遮蔽板５と、外周面に螺刻したシャフト３１を具える操作つまみ３と、を含んでなる。【選択図】図２
0003211585.tif 000002
【実用新案登録請求の範囲】
【請求項１】
筒状を呈し、かつ内部空間が該後蓋に向かって内径の漸縮する、略テーパ状を形成し、底面には該シャワーヘッド本体の軸方向の略中央の位置であって、かつ該シャワーヘッド本体の軸方向に直交する線に沿って一方の側に偏った位置に、水が進入する進入孔を形成したシャワーヘッド本体と、
内部にシャワー水が通過する流路を形成してなり、かつ該シャワーヘッド本体の底面に設けるグリップ部と、
該シャワーヘッド本体の前後端にそれぞれ設ける前蓋及び後蓋と、
板体であって、側面が該シャワーヘッド本体の内壁の傾斜角度と同一の角度で傾斜し、該シャワーヘッド本体内に回動自在、かつ摺動自在に設ける遮蔽板と
外周面に螺刻したシャフトを具える操作つまみと、を含んでなり、
該前蓋に、内壁に螺刻され、かつ該前蓋を貫通するシャフト支持孔が形成された柱状のシャフト支持部を設け、該シャフトの一端が該シャフト支持孔を通過して該遮蔽板に連結し、
該操作つまみが回転することで該シャフトに連結した該遮蔽板が該シャワーヘッド本体の内部空間を移動し、該遮蔽板の側面が該進入孔の位置から後蓋寄りの位置において該シャワーヘッド本体の内壁に当接するように構成すること、を特徴とするシャワーヘッド装置。
【請求項２】
前記後蓋の中心点に、内壁が傾斜して該シャワーヘッド本体側に向かって漸縮し、テーパ状を呈する注入孔を形成するとともに、該シャワーヘッド本体側の面には、該注入孔を囲繞する壁面によってなる中空の柱状突起を設け、該柱状突起の該後蓋に接続する一端が開放端で該注入孔を介して外部に連通し、他端は閉鎖端とし、かつ壁面に複数の孔部を穿設するとともに、該弾性体と及び該弾性体に当接し、かつ該弾性体の付勢力によって該注入孔を塞ぐ球体とを内設することを特徴とする請求項１に記載のシャワーヘッド装置。
【考案の詳細な説明】
【技術分野】
【０００１】  この考案は、シャワーヘッド装置に関し、特にシャワー水に石鹸、入浴剤、もしくは芳香剤を混入する簡易な機構を設けたシャワーヘッド装置に関する。
【背景技術】
【０００２】  従来のシャワーヘッド装置は、水を吐出する吐水部を具え、沐浴に供する。然しながら、吐出する水は、単なる水、もしくは温水などである。水そのものには、何ら効能などはない。そこで、このシャワーヘッドから吐出される水に石鹸、入浴剤、もしくは芳香剤を混入する機構を設けたシャワーヘッド装置が開発された。【０００３】  本考案者が開発し、アメリカ合衆国に特許出願したアメリカ合衆国特許第９，３２２，１５２号公報に開示されるシャワーヘッドは、筒状を呈し、かつ前後にそれぞれ前蓋と後蓋とを設けたシャワーヘッド本体内に液状石鹸を収納するドラムを回動自在に設けるとともに、該ドラムには液体出口を形成し、かつドラムの外周面に複数の羽根を設けてなり、シャワーヘッド内に旋回流を発生させて該ドラムを回転させ、遠心力で該ドラムに収納した液状石鹸、もしくは入浴剤、芳香剤などを該液体出口から流出させてシャワー水に混入させるものである。【０００４】  また、前記シャワーヘッドは、石鹸などの混入したシャワー水と、混入しない通常のシャワー水との切換えを行うために、該ドラムを回動自在に支持する支持板を設けるとともに、外周面に螺刻したシャフトを具え、シャワー本体のシャワー水が吐出する側の前蓋上に切換つまみを設け、該シャフトの一端が該前蓋を通過して該支持板に連結してなる切換機構を具える。【０００５】  上述する切換機構は、該つまみを回転させることで、該つまみを回転させる力を該シャフトに伝導し、該シャワーヘッド本体内の軸方向に沿って該ドラムを移動させるものであって、該ドラムが該シャワーヘッド本体と接続するグリップ部に形成したシャワー水流路の上端の水進入孔の位置より後蓋側に移動すると、該水進入孔から該シャワーヘッド本体内に進入した水は、該支持板に遮られ、該ドラムに接触することなく、前蓋に形成した複数の吐出孔から吐出する。該ドラムが該水進入孔上に位置すると、水流の推進によって回転し、遠心力で該ドラムに収納した液状石鹸、もしくは入浴剤、芳香剤などを該液体出口から流出してシャワー水に混入し、該前蓋に形成した複数の吐出孔から吐出する。【０００６】  さらに、前記シャワーヘッドは、該グリップ部の下端部にアスピレータ構造を具える。即ち、該グリップ部は、内部に底端から上端に至るシャワー水流路を形成するとともに、該シャワー水流路は底端部において内径が上方に向かって漸縮してテーパ状部を形成し、該テーパ状部の上端がノズルとなり、該ノズルを過ぎると該シャワー水流路の内径が広くなり、該グリップ部の上端において該シャワーヘッド本体の内部空間に連通する。さらに該グリップ部の該ノズルに近接した適宜な位置に吸気孔を穿設する。【０００７】  上述するシャワーヘッドは。液状石鹸等を効率よくシャワー水に混入させることができるとともに、アスピレータ構造を具えることから、液状石鹸などをシャワー水に混入させる構造との相乗効果が得られる。即ち、
シャワー水に微細な気泡を含有させることができ、節水効果、もしくはシャワー水の肌に対する衝撃力を緩衝するなどの利点が得られるとともに、液状石鹸を混入させた場合、石鹸を泡立てるなどの効果も得られ、シャワーによる洗浄効果を高めることができる。【０００８】  しかしながら、上述するシャワーヘッドは、実施する上で複数の欠点を具える。即ち、該シャワーヘッド本体には、一端を該支持板に連結したシャフトと、該シャフトの他端のつまみと、該シャフトが貫通する該前蓋と、該ドラムを回動自在に支持する支持板と、液体石鹸などを収納する該ドラムと、該支持板とともに該ドラムを回動自在に支持する該後蓋とを具える。言い換えれば、部材の点数が多く、製造工程が多くなり手間がかかるのみならず、相対的に製造コストも増大する。【０００９】  また、液状石鹸などを収納する容器である該ドラムは、外周面に複数の羽根を設ける。係る構造を一体成型することは、現状では難しい。このため該ドラムの外周面に羽根を接続しなければならない。この場合、溶着、接着などの方法が考えられるが、いずれにしても該ドラムの加工工程において相当の手間、時間が浪費される。しかも、該羽根が該ドラムに接触する面積が僅少であり、十分な接続の強度が得られない。当該羽根はシャワー水の旋回流を受けて該ドラムを回転させることを目的とするため、接続の強度が低いことは、容易に破損することになり、該羽根の破損は、該ドラムを十分に回転させて遠心力を発生させ、収納した液状石鹸などを流出させることができなくなることに繋がる。
【先行技術文献】
【００１０】
【特許文献】
【特許文献】アメリカ合衆国特許第９，３２２，１５２号公報
【考案の概要】
【考案が解決しようとする課題】
【００１１】  この考案は、液状石鹸、入浴剤、もしくは芳香剤を混入する機構を具え、かつ該機構の構造が簡易で、十分な構造上の強度を具え、容易に製造できるシャワーヘッド装置を提供することを課題とする。
【課題を解決するための手段】
【００１２】  そこで、本考案者は従来のシャワーヘッド装置に見られる欠点に鑑み鋭意研究を重ねた結果、筒状を呈し、かつ内部空間が該後蓋に向かって内径の漸縮する、略テーパ状を形成し、底面には該シャワーヘッド本体の軸方向の略中央の位置であって、かつ該シャワーヘッド本体の軸方向に直交する線に沿って一方の側に偏った位置に、水が進入する進入孔を形成したシャワーヘッド本体と、内部にシャワー水が通過する流路を形成してなり、かつ該シャワーヘッド本体の底面に設けるグリップ部と、該シャワーヘッド本体の前後端にそれぞれ設ける前蓋及び後蓋と、板体であって、側面が該シャワーヘッド本体の内壁の傾斜角度と同一の角度で傾斜し、該シャワーヘッド本体内に回動自在、かつ摺動自在に設ける遮蔽板と、外周面に螺刻したシャフトを具える操作つまみと、を含んでなり、該前蓋に、内壁に螺刻され、かつ該前蓋を貫通するシャフト支持孔が形成された柱状のシャフト支持部を設け、該シャフトの一端が該シャフト支持孔を通過して該遮蔽板に連結し、該遮蔽板の側面が該進入孔の位置から後蓋寄りの位置において該シャワーヘッド本体の内壁に当接するシャワーヘッド装置によって課題を解決できる点に着眼し、係る知見に基づいて本考案を完成させた。【００１３】  以下この考案について説明する。請求項１に記載するシャワーヘッド装置は、筒状を呈し、かつ内部空間が該後蓋に向かって内径の漸縮する、略テーパ状を形成し、底面には該シャワーヘッド本体の軸方向の略中央の位置であって、かつ該シャワーヘッド本体の軸方向に直交する線に沿って一方の側に偏った位置に、水が進入する進入孔を形成したシャワーヘッド本体と、内部にシャワー水が通過する流路を形成してなり、かつ該シャワーヘッド本体の底面に設けるグリップ部と、該シャワーヘッド本体の前後端にそれぞれ設ける前蓋及び後蓋と、板体であって、側面が該シャワーヘッド本体の内壁の傾斜角度と同一の角度で傾斜し、該シャワーヘッド本体内に回動自在、かつ摺動自在に設ける遮蔽板と、外周面に螺刻したシャフトを具える操作つまみと、を含んでなり、該前蓋に、内壁に螺刻され、かつ該前蓋を貫通するシャフト支持孔が形成された柱状のシャフト支持部を設け、該シャフトの一端が該シャフト支持孔を通過して該遮蔽板に連結し、該遮蔽板の側面が該進入孔の位置から後蓋寄りの位置において該シャワーヘッド本体の内壁に当接する。【００１４】  上述する構造によれば、該操作つまみを一方に回転させると、該遮蔽板が該シャワーヘッド本体の該進入孔の位置から後端寄りに移動し、側面が該シャワーヘッド本体の内壁に当接する。よって、該シャワーヘッド本体の内部空間は、該遮蔽板と該前蓋との間の空間と、該遮蔽板と該後蓋との間の空間に二分される。この状態において該後蓋を外して液状石鹸などを直接該シャフーヘッド内に充填し、給湯装置などの水栓を開くと、該グリップ部を通過して該シャワーヘッド内シャワーに水が流入し、かつ旋回水流となり、該前蓋に穿設した噴射孔から噴射する。但し、該シャワーヘッド本体内に充填した液状石鹸などは、該遮蔽板の遮蔽効果によって該シャワーヘッド本体の内部空間が二分され、シャワー水に混入しない。【００１５】  次いで、該操作つまみ���他方に回転させると、該遮蔽板が該前蓋の方向に移動し、二分された空間が連通して、充填した液状石鹸などがシャワー水に混入する。即ち、簡易な構造によって、シャワー水に液状石鹸などを混入させ、かつ通常のシャワー水と液状石鹸などの混入したシャワー水との切換えを行うという目的を達成することができる。【００１６】  請求項２に記載するシャワーヘッド用アスピレータ装置は、請求項１における後蓋の中心点に、内壁が傾斜して該シャワーヘッド本体側に向かって漸縮し、テーパ状を呈する注入孔を形成するとともに、該シャワーヘッド本体側の面には、該注入孔を囲繞する壁面によってなる中空の柱状突起を設け、該柱状突起の該後蓋に接続する一端が開放端で該注入孔を介して外部に連通し、他端は閉鎖端とし、かつ壁面に複数の孔部を穿設するとともに、該弾性体と及び該弾性体に当接し、かつ該弾性体の付勢力によって該注入孔を塞ぐ球体と、を内設する。【００１７】  係る構成によれば、該シャワーヘッド本体内に液状石鹸等を充填するための操作を簡易なものにすることができる。即ち、硬質で該後蓋の該注入孔の形状に合わせたテーパ状を呈し、かつ先端部に孔部を具える注入端と、液状、もしくはペースト状の浴用石鹸、芳香剤、もしくは入浴剤などを収納したチューブである収納部とによってなる注入器を別途用意し、該注入器の注入端を該後蓋の注入孔に差し込み、該収納部を押圧することで該収納部内の内容物を該シャワーヘッド本体内に注入することができる。
【考案の効果】
【００１８】  この考案によるシャワーヘッド装置は、部材の点数が少なく、接合又は接着箇所も少なく、構造が簡易なため、構造上の十分な強度が得られ、かつ簡易な操作でシャワー水に浴用石鹸などを混入させることができ、シャワーによる沐浴を効率よいものにすることができとともに、簡易な操作で通常のシャワー水と液状石鹸などの混入したシャワー水との切換えを行うことができる。即ち、製品としての使用寿命の長さと、使用上の利便性とが得られ、さらには製造が容易で、製造コストを節減できるという効果も得られる。【００１９】  また、シャワー水に浴用石鹸などを混入させ、かつ通常のシャワー水と液状石鹸などの混入したシャワー水との切換えを行うための構造がシャワーヘッド内に設けられ、該切換えの操作を前蓋に設けた操作つまみによって行うため、グリップ部にはシャワー水が通過する流路のみを形成する。係る構造によれば、該グリップ部をさらに活用し、その他機能を追加することも可能であり、例えばシャワーヘッド側で止水する先止め式の止水装置、もしくはシャワー水の水質に作用する何らかの成分を内設したカートリッジなどを該グリップ部に設けることも可能であり、また、前出のアメリカ合衆国特許第９，３２２，１５２号公報に開示されるシャワーヘッドのように、該グリップ部にアスピレータ構造を設けてもよい。この場合ベンチュリー効果によって気体を吸入して微細な気泡を水に混入させることによって節水効果が得られ、水分子の細分化によってシャワーによる洗浄力を高めるという効果もが得られる。即ち、この考案によるシャワーヘッド装置は、高い応用性を具える、製品としてのさらなる付加価値を高めることを可能にするという利点を有する。
【図面の簡単な説明】
【００２０】
【図１】  この考案によるシャワーヘッド装置の外観を示した斜視図である。
【図２】  図１に開示するシャワーヘッド装置を分解した状態を示した説明図である。
【図３】  図１に開示するシャワーヘッド装置の断面構造を示した説明図である。
【図４】  第２の実施の形態における後蓋の構造を示した説明図である。
【考案を実施するための形態】
【００２１】  この考案は、液状石鹸、入浴剤、もしくは芳香剤を混入する機構を具え、かつ該機構の構造が簡易で、十分な構造上の強度を具え、かつ容易に製造できるシャワーヘッド装置を提供するシャワーヘッド装置を提供するものであって、  筒状を呈し、かつ内部空間が該後蓋に向かって内径の漸縮する、略テーパ状を形成し、底面には該シャワーヘッド本体の軸方向の略中央の位置であって、かつ該シャワーヘッド本体の軸方向に直交する線に沿って一方の側に偏った位置に、水が進入する進入孔を形成したシャワーヘッド本体と、内部にシャワー水が通過する流路を形成してなり、かつ該シャワーヘッド本体の底面に設けるグリップ部と、該シャワーヘッド本体の前後端にそれぞれ設ける前蓋及び後蓋と、板体であって、側面が該シャワーヘッド本体の内壁の傾斜角度と同一の角度で傾斜し、該シャワーヘッド本体内に回動自在、かつ摺動自在に設ける遮蔽板と、外周面に螺刻したシャフトを具える操作つまみと、を含んでなり、該前蓋に、内壁に螺刻され、かつ該前蓋を貫通するシャフト支持孔が形成された柱状のシャフト支持部を設け、該シャフトの一端が該シャフト支持孔を通過して該遮蔽板に連結し、該遮蔽板の側面が該進入孔の位置から後蓋寄りの位置において該シャワーヘッド本体の内壁に当接する。係るシャワーヘッド装置の構造と特徴を説明するために、具体的な実施例を挙げ、図面を参照にして以下に詳述する。
【実施例１】
【００２２】  図１には、この考案によるシャワーヘッドの外観を開示し、図２には図１に開示するシャワーヘッドを構成するそれぞれの部材を開示する。図２に開示するように、この考案によるシャワーヘッドは、筒状を呈するシャワーヘッド本体１と、内部にシャワー水が通過する流路２１を形成してなり、かつシャワーヘッド本体１の底面に設けるグリップ部２と、シャワーヘッド本体１の前後端にそれぞれ設ける前蓋４及び後蓋６と、シャワーヘッド本体１内に回動自在、かつ摺動自在に設ける遮蔽板５と、前蓋４を貫通して一端が遮蔽板５に連結するシャフト３１を具える操作つまみ３とを含んでなる。【００２３】  シャワーヘッド本体１は、内部空間が後蓋６に向かって内径が漸縮し、略テーパ状の内部空間を形成し、かつ底面にグリップ２の流路２１に連通する進入孔１２を形成する。また、シャワーヘッド本体１の後端部には外周面に螺刻して後蓋６の螺着に供するとともに、後端面の後蓋６に当接する位置に環状溝１１を形成してＯリング１１１を嵌着する。また、前端部には外周面に螺刻して前蓋４の螺着に供するとともに、前端面の前蓋４に当接する位置に環状溝１１を形成してＯリング１１２を嵌着する。【００２４】  前記環状溝１１は、Ｏリング１１１、Ｏリング１１２を固定するためのものであって、Ｏリング１１１、Ｏリング１１２を設けることによって、後蓋６、もしくは前蓋４との間から水が漏れる現象を効率よく防ぐことができる。よって、後蓋６、もしくは前蓋４との間から水が漏れる現象を防ぐことができれば、環状溝１１を形成する位置は、図面に開示する後端面の後蓋６に当接する位置、もしくは前端面の前蓋４に当接する位置に限ることなく、適宜に変更してもよい。また、Ｏリング１１１、Ｏリング１１２は、漏水防止効果を高めるために、好ましくは環状溝１１に嵌着した状態で、突起する高さを１ｍｍから１．５ｍｍの範囲とする。【００２５】  グリップ部２は、シャワー本体１と一体に成形する。シャワー本体１の底面に形成する進入孔１２は、シャワーヘッド本体１の軸方向の略中央に位置するが、但し、シャワーヘッド本体１の軸方向に直交する線に沿って一方の側に偏った位置に形成する。よって、グリップ部２の下端から進入孔１２に至る流路２１は傾斜し、係る傾斜した流路２１を通過し、かつ上述するように偏った位置に形成した進入孔１２からシャワーヘッド本体１の内部空間にシャワー水が進入すると、水流が旋回する。係る旋回水流によって、石鹸、芳香剤などの成分がャワー水に容易に混入する。【００２６】  後蓋６の内周面には、シャワーヘッド本体１後端部の外周面に形成したねじ山に対応して螺刻し、シャワーヘッド本体１に着脱自在に螺合させる。【００２７】  遮蔽板５は、シャワーヘッド本体１内に回動自在、かつ摺動自在に設ける板体であって、一方の面の中心の位置に筒状のシャフト支持突起５１を一体に形成する。シャフト支持突起５１の内周面には螺刻する。また、遮蔽板５の側面であって、シャワーヘッド本体１の内壁に当接する面は、シャワーヘッド本体１の内壁の傾斜角度と同一の角度で傾斜させ、テーパ状に形成する。【００２８】  前蓋４の内周面には、シャワーヘッド本体１前端部の外周面に形成したねじ山に対���して螺刻し、シャワー水の噴射面には複数の噴射孔４１を穿設する。また、前蓋４には、シャワーヘッド本体１側の面の中心の位置に柱状のシャフト支持部４２を一体に形成する。シャフト支持部４２には、前蓋４を貫通するシャフト支持孔４３を形成し、かつシャフト支持孔４３の内壁に螺刻する。【００２９】  操作つまみ３は、シャフト３１と一体に形成してなり、シャフト３１の外周面には螺刻する。シャフト３１の外周面に形成するネジ山は、前蓋４のシャフト支持部４２に形成したシャフト支持孔４３の内壁に形成したねじ山と及び遮蔽板５のシャフト支持突起５１の内周面に形成したねじ山に対応して形成する。【００３０】  以上の各部材を組み立てる場合は、シャワーヘッド本体１の前後両端にそれぞれ形成した環状溝１１にＯリング１１１とＯリング１１２とを嵌着し、後蓋６をシャワーヘッド本体１の後端に着脱自在に設ける。操作つまみ３は、シャフト３１の一端を前蓋４のシャフト支持部４２に形成したシャフト支持孔４３に挿入し、回転させてシャフト支持部４２を通過させ、遮蔽板５のシャフト支持突起５１に螺着させる。この場合、接着剤などを塗布してシャフト３１と遮蔽版５との連結の強度を高めるようにしてもよい。前蓋４は、シャワーヘッド本体１前端に螺着する。【００３１】  図３に開示するように、操作つまみ３を一方に回転させると、遮蔽板５はシャワーヘッド本体１の進入孔１２の位置から後端寄りの位置において側面がシャワーヘッド本体１の内壁に当接する。この状態において、シャワーヘッド本体１の内部空間は、遮蔽板５と前蓋３との間の空間と、蔽板５と後蓋６との間の空間に二分される。【００３２】  また、上述する状態において操作つまみ３を他方に回転させると、遮蔽板５がシャワーヘッド本体１の前端方向に移動し、遮蔽板５の側面とシャワーヘッド本体１の内壁との間に隙間が生じ、二分された遮蔽板５と前蓋３との間の空間と、蔽板５と後蓋６との間の空間が連通する。【００３３】  この考案によるシャワーヘッドを使用する場合は、シャワーヘッド本体１の内部空間が遮蔽板５と前蓋３との間の空間と、蔽板５と後蓋６との間の空間に二分された状態において、後蓋６を取り外し、液状の石鹸、もしくは芳香剤、もしくは入浴剤などを遮蔽板５と後蓋６との間の空間に充填して後蓋６を取り付ける。次いで、給湯装置（図示しない）などの水栓を開くと、シャワー水がグリップ部２に形成した流路２１を通過して、シャワー本体１の底部に形成した進入孔１２からシャワーヘッド本体１の内部空間に進入し旋回する水流となり、前蓋４の噴射孔４１から噴射される。この場合、遮蔽板５によってシャワーヘッド本体１の内部空間が二分されているため、シャワー水に石鹸などは混入しない。【００３４】  上述するように、シャワーヘッド本体１の内部空間が二分され、かつ蔽板５と後蓋６との間の空間に液状石鹸などを充填し、給湯装置（図示しない）などの水栓を開いた状態において、操作つまみ３を回転させると、遮蔽板５が前蓋３の方向に移動し、二分された遮蔽板５と前蓋３との間の空間と、蔽板５と後蓋６との間の空間が連通して、充填した液状石鹸などがシャワー水に混入する。この場合、シャワー水はシャワーヘッド本体１内を旋回���るため、液状石鹸などが十分に混入され、石鹸、芳香剤、もしくは入浴剤などが混入したシャワー水となって前蓋４の噴射孔４１から噴射される。
【実施例２】
【００３５】  上述する後蓋６を取り外し、液状の石鹸、もしくは芳香剤、もしくは入浴剤などを蔽板５と後蓋６との間の空間に充填して後蓋６を取り付ける操作をより簡易な操作にするために、実施例２においては、後蓋６についてのみ構造を変更する。その他部分は、全て実施例１と同様である。【００３６】  図４、５に開示するように、後蓋６′には、中心点に内壁が傾斜してシャワーヘッド本体１側に向かって漸縮し、テーパ状を呈する注入孔６１を形成するとともに、シャワーヘッド本体１側の面には、注入孔６１を囲繞する壁面によってなる中空の柱状突起６２を設ける。柱状突起６２は後蓋６′に接続する一端が開放端で注入孔６１を介して外部に連通し、他端は閉鎖端とし、かつ壁面に複数の孔部を穿設するとともに、弾性体６４と弾性体６４に当接し、弾性体６４の付勢力によって注入孔６１を塞ぐ球体６３とを内設する。【００３７】  また、別途液状、もしくはペースト状の浴用石鹸、芳香剤、もしくは入浴剤などを収納した注入器７を用意する。注入器８は硬質で後蓋６′の注入孔６３の形状に合わせたテーパ状を呈し、かつ先端部に孔部を具える注入端７１と、液状、もしくはペースト状の浴用石鹸、芳香剤、もしくは入浴剤などを収納するチューブである収納部７２とによってなり、該注入端７１を後蓋６′の注入孔７１に差し込み、球体６３を押して収納部７２を押圧すると、収納部７２に収納した内容物が注入器７先端部の孔部と後蓋６′の注入孔６１を経て、柱状突起６２に形成した複数の孔部からシャワーヘッド本体１内に至り、注入器７を後蓋６′から離すと、球体６３が弾性体６４の付勢力によって注入孔６１を塞ぐ。【００３８】  上述する球体６３は、例えば注入孔６１を閉じる板体であってもよく、柱状突起６２は、中空の円柱であっても四角柱であってもよい。また、柱状突起に複数のスリットを形成して該孔部の代替としてもよい。即ち、実施例２は、後蓋６′に注入孔６１を形成し、かつ注入孔６１を何らかの弾性体の付勢力で閉塞した状態とし、注入器７を用いて浴用石鹸、芳香剤、もしくは入浴剤などの内容物をシャワー本体１内に注入する手段を設けたことを特徴とする。【００３９】  上述するシャワーヘッド装置は、シャワーヘッド本体１内に設ける構造において、部材の点数が少なく、接合、もしくは接着部分が少ないため、製造が容易で、かつ十分な構造上の強度が得られる。即ち、本考案を実施した製品を製造する際に製造コストを低減させることができるとともに、製品の使用寿命が長くなるという利点を具える。
【符号の説明】
【００４０】１              シャワーヘッド本体
１１            環状溝
１１１、１１２  Ｏリング
１２            進入孔
２              グリップ
２１            流路
３              操作つまみ
３１            シャフト
４              前蓋
４１            噴射孔
４２            シャフト支持部
４３            シャフト支持孔
５              遮蔽板
５１            シャフト支持突起
６、６′        後蓋
６１            注入孔
６２            柱状突起
６３            球体
６４            弾性体
７              注入器
７１            注入端
７２            収納部
【図１】
0003211585.tif 000003
【図２】
0003211585.tif 000004
【図３】
0003211585.tif 000005
【図４】
0003211585.tif 000006